(57)【要約】【課題】一定の角速度で読出し及び書込みをするディスクにオーディオビジュアルデータを記録し及び／又は読出す装置を提供する。【解決手段】該装置は装置を制御するデータを含む永久メモリー（１６）と、装置の動作のために該永久メモリー（１６）のデータをロードするランダムアクセスメモリー（１８）を有する。装置の動作に必要なデータはディスク（１２）の外側ゾーンに蓄積される。本装置はこれらのデータを初期化期間にランダムアクセスメモリー（１８）にロードする手段を有する。【選択図】図１
2004517436.tif 000002
【特許請求の範囲】
【請求項１】
ハードディスク（１２）のように一定の角速度で読出し及び書込むように設計されたディスクにオーディオビジュアルデータを記録し及び／又は読出す装置において、
該装置を制御するためのデータを含む永久メモリー（１６）と、
該永久メモリー（１６）に含まれるデータを前記装置の動作のためにロードすることを意図するランダムアクセスメモリー（１８）とを有し、
前記装置の動作に必要なデータが前記ディスク（１２）の外側ゾーンに蓄積され、
前記装置は該データを初期化の期間に前記ランダムアクセスメモリー（１８）にロードする手段を有する、装置。
【請求項２】
実時間動作に必要なデータが前記ディスク（１２）の外側ゾーンの連続するセクタ（２５１，２５２）に蓄積される、請求項１記載の装置。
【請求項３】
前記ディスク（１２）の外側ゾーンに蓄積される実時間動作に必要なデータが前記装置の動作を制御するためのデータを少なくとも含む、請求項１又は２に記載の装置。
【請求項４】
前記ディスクは、動作に必要なデータを有する外側ゾーン（２６）と、オーディオビジュアルデータの記録のための中間ゾーン（２８）と、読取り書込み速度が前記外側ゾーン（２６）よりも遅くてもよい内側ゾーン（３０）との３つのゾーンに分割される請求項１−３のひとつに記載の装置。
【請求項５】
高速読出しの必要なソフトウェア又はデータの記録のための外側ゾーン（２６）と、オーディオビジュアルデータのような実際のデータの記録のためのゾーン（２８）の少なくとも２つのゾーンに分割される、一定の角速度で書込み及び読出しするディスク、特にハードディスク。
【請求項６】
実際のデータを記録するゾーンの内側に設けられ外側ゾーンに位置するデータよりも低速のデータを記録する第３の内側ゾーンを有する請求項５記載のディスク。
【請求項７】
高速で読出すソフトウェア又はデータの記録のための外側ゾーン（２６）と、オーディオビジュアルデータのような実際のデータの記録のためのゾーン（２８）との少なくとも２つの異なるゾーンに分割され、一定の角速度で記憶及び読出すディスク特にハードディスクにデータを記録する方法。
【請求項８】
実際のデータを記録するゾーンの内側に設けられ外側ゾーンに位置するデータよりも低速のデータを記録する第３の内側ゾーン（３０）が設けられる、請求項７記載の方法。
【発明の詳細な説明】
【０００１】
【発明の属する技術分野】
本発明は一定の角速度で回転するディスクの上のデータを読取り及び／又は書込むための装置に関する。本発明は又一定の角速度で回転するディスクに書込む方法及びそのようなディスクに関する。より詳細には、本発明は一定の角速度で回転するハードディスク（磁気ディスク）のようなディスクにオーディオビジュアルデータを記録するレコーダに関する。
【０００２】
【従来の技術】
このタイプのレコーダはテレビ放送の記録に利用することができる。このレコーダでは記録と同時に既に記録したゾーンの読出しができるので、例えば、テレビ放送を遅れて見ることができる。つまり、放送の終わりの部分がディスクに記録中に、放送の始めの部分を見ることができる。
【０００３】
このタイプの装置はコンピュータと類似し、フラッシュメモリーのような永久メモリーを有し、装置の動作に必要なソフトウェア、例えばテレビ受像機とのインターフェースのためのソフトウェア、圧縮／延伸ソフトウェア、例えばＭＰＥＧ２ビデオ標準又はドルビー標準のオーディオ部分を蓄積する。装置が電源オンされると、このソフトウェアがマイクロプロセサで制御されるランダムアクセスメモリーに転送される。ランダムアクセスメモリーの利点は迅速な書込み及び読出しができることで、装置を効率よく動作させることができる。
【０００４】
【発明が解決しようとする課題】
本発明の目的は装置の性能を低下させずにコストを低減することにある。
【０００５】
【課題を解決するための手段】
本発明による読取り及び／又は書込みの装置は、一定の角速度で回転し装置の動作に必要なデータを最外側ゾーンに配置した読取り及び又は書込みのためのディスクを有する。
【０００６】
従って、装置の動作に必要なデータ（特にソフトウェア）のためのディスクを使用することにより、永久メモリーの大きさ及びそのコストが低下する。さらに、動作に必要なデータは装置の始動時にランダムアクセスメモリーにロードしなければならないこと、及びこれらのデータが一定の角速度のディスクの最外側のゾーンに蓄積されることから、これらのデータは線速度が最大となるゾーン、つまりデータをもっとも高速で読出せるゾーンに配置される。従って、ディスクからランダムアクセスメモリーに転送する時間は最少化される。例えば、外側ゾーンの転送速度が３０ＭＢ／秒のとき、２０ＭＢのソフトウェアは０．７秒で転送することができる。このソフトウェアが内側ゾーンにもうけられると、転送時間は約１．５秒となり、これは他は全て同じで２倍の長さである。
【０００７】
以上の条件のもとで、装置を始動させる時間が最少化される。
【０００８】
転送時間をさらに減少させるために本発明の好ましい実施例によると、ディスクの外側ゾーンに蓄積され動作に必要なデータは連続するセクタに配置され、読み取りヘッドがひとつのセクタから別の連続しないセクタにジャンプする必要がない。その理由は情報がディスク上のセクタに分布することが知られているからである。例えば、ハードディスクの標準では、各セクタは５１２バイトを有する。始動のために必要なデータ（ソフトウェア）以外の情報がハードディスクの同じゾーンに記録されていると、読取り始動データはひとつのセクタから別の連続しないセクタへジャンプすることが必要となる。実際、ひとつのジャンプは約１０ｍｓ続き、ジャンプの累積は無視できない遅延をもたらす。従って、外側ゾーンには始動データのみを記録することにより、ジャンプ及び遅延を避けることができる。
【０００９】
本発明による装置はアンテナ又はテレビ放送デコーダに接続することができ、さらに放送を見るためのテレビ受像器に接続することができる。
【００１０】
この装置はテレビ放送デコーダと一体の部品を形成することもできる。
【００１１】
又、テレビ受像器と一体にして、例えば、放送を記録しながら同時に同じ放送又は前に記録された放送を見ることができるレコーダを構成することができる。
【００１２】
本発明は、ハードディスクのように一定の角速度で読出し及び書込むように設計されたディスクにオーディオビジュアルデータを記録し及び／又は読出す装置に関し、該装置は、
該装置を制御するためのデータを含む永久メモリーと、該永久メモリーに含まれるデータを前記装置の動作のためにロードすることを意図するランダムアクセスメモリーとを有し、前記装置の動作に必要なデータが前記ディスクの外側ゾーンに蓄積され、前記装置は該データを初期化の期間に前記ランダムアクセスメモリーにロードする手段を有する。
【００１３】
実時間動作に必要なデータが前記ディスクの外側ゾーンの連続するセクタに蓄積される。
【００１４】
本発明は又一定の角速度で書込み及び読出しするディスク、特にハードディスクに関する。該ディスクは高速読出しの必要なソフトウェア又はデータの記録のための外側ゾーンと、オーディオビジュアルデータのような実際のデータの記録のためのゾーンの少なくとも２つのゾーンに分割される。
【００１５】
ひとつの実施例によると、ディスクは、実際のデータを記録するゾーンの内側にもうけられ外側ゾーンに位置するデータよりも低速のデータを記録する第３の内側ゾーンを有する。
【００１６】
本発明は又高速で読出すソフトウェア又はデータの記録のための外側ゾーンと、オーディオビジュアルデータのような実際のデータの記録のためのゾーンとの少なくとも２つの異なるゾーンに分割され、一定の角速度で記録及び読出すディスク特にハードディスクにデータを記録する方法に関する。
【００１７】
【発明の実施の形態】
例として、レコーダ１０はデコーダ（図示なし）が受信するテレビ放送のようなオーディオビジュアル放送を記録するように設計されているとする。このレコーダはハードディスク型、つまりコンピュータで一般に使用される磁気ディスク型とする。従って、ディスク１２はこの例では一定の角速度で回転するように設計される。
【００１８】
コンピュータと同じく、レコーダはマイクロプロセサ１４と、フラッシュ型の永久メモリー１６と、装置の動作がスタートするときつまり初期化期間にロードされるランダムアクセスメモリー１８とを有する。この理由はランダムアクセスメモリーは最小の時間で読み書き可能で、コンピュータ又は放送又はオーディオビジュアルデータの記録のための装置である専用コンピュータを高速動作させることができるからである。しかし、このメモリーはデータを永久保存することはできない。そのため、装置を動作させるために必要なデータはフラッシュ型の永久メモリー１６に蓄積される。さらに、本発明によると、初期化データはディスク１２に蓄積され、重要な構成として、ディスクの最外側のトラックつまりシリンダ２２１，２２２等に蓄積される。
【００１９】
従って、初期化期間に、フラッシュメモリー１６はマイクロプロセサ１６を使用して読出しされ、データはランダムアクセスメモリー（ＲＡＭ）１８に転送される。フラッシュメモリー１６からランダムアクセスメモリー１８に転送されたソフトウェアデータはディスクへのアクセス（インターフェース）を可能とする。次に、ディスク１２の外側トラック２２１，２２２の上の、レコーダの動作に必要な全てのデータは、インターフェース回路２４を介してこのメモリー１８にロードされる。
【００２０】
ディスク１２のトラック２２１，２２２に蓄積され、スタート時にランダムアクセスメモリー１８に即座に置かれなければならないソフトウェアは、装置の連続動作に必要なもの、つまり、受信され、読み出しのためにディスクに記録された圧縮されたビデオ及びオーディオデータを復元するソフトウェアである。装置がアナログのオーディオビジュアルデータを受信し記録するように設計されるときは、圧縮ソフトウェアも可能である。
【００２１】
ハードディスクのように一定の角速度で回転するディスクの場合には、メモリー１８に即座にロードするデータを外側ゾーンに置くことは特別に利点がある。その理由は外側ゾーンは最高速で書込み読出しヘッドを通過し、従って、内側ゾーンにデータが書かれた場合よりも高速読出しができるからである。
【００２２】
さらに、ハードディスクの上ではデータはセクタ２５１，２５２の上に分布し、各セクタはハードディスク標準では例えば５１２バイトを有する。この条件では、外側ゾーン２６（図３）をソフトウェアの書込み専用にし、他のデータがこのセクタに存在しないようにすることが好ましい。従って、ランダムアクセスメモリーにロードするためにゾーン２６を読むときに、読み取りヘッドは連続するセクタのみを見て、ひとつのセクタから別の連続しないセクタにジャンプすることはない。ジャンプは遅延を発生させ、ランダムアクセスメモリー１８へのロードの速度をそこなう。
【００２３】
後者の構成はリーダ／レコーダの型にかかわりなく適用可能である。従って、ディスクが一定角速度でなく一定線速度のときは、ランダムアクセスメモリーに即座にロードするソフトウェアを任意のゾーンに配置することが可能である。
【００２４】
本発明は又図２及び図３に示すようにディスク１２に記録されるデータの分布に関する。
【００２５】
この実施例では、ディスク１２は３つのゾーンに分割される。外側ゾーン２６は、既に述べたごとく、即座にロードするソフトウェア、つまり符号化／復号化ソフトウェアを有する。中間ゾーン２８は最も大きな表面積を有し、オーディオビジュアルデータつまり実時間で書込み又は読出すデータを記録し又は読出すように設計される。最後に内側ゾーン３０は、他のデータ、例えば実時間の必要のない高速読出しの必要のない遅延アクセスのためのデータ、のために設計される。内側ゾーン３０に位置するソフトウェアは、例えば、ゲームソフトウェア、ナビゲーションデータのようなインターネットデータ、アドレス帳又はブラウザ経歴ファイルである。
【００２６】
読出し書込みのためのオーディオビジュアルデータを単一ゾーン２８に置くことの利点は、読取りが書込みと同時に実行されるときに、読み取り／書き込みヘッドの移動距離が最少となることにある。その理由は、この種の装置ではディスク面毎に単一のヘッドが使用され、ただひとつのヘッドしかないのにもかかわらず、ゾーン２８の異なる部分に書き及び読む可能性があるからである。しかし、読取り領域から書込み領域へのヘッドの連続的な前後運動は遅延の原因となり、読取り及び書込みの両方に有害である。読取り及び書込みのデータを単一のゾーンに置き、他のデータを別のゾーン２６と３０に置くことにより、ヘッドの移動距離が最少となり、ヘッドの移動で浪費される時間が最少となる。
【図面の簡単な説明】
【図１】
本発明の実施例によるハードディスクレコーダの全体図である。
【図２】
本発明によるディスクの種々のゾーンを示す図である。
【図３】
本発明によるディスクの種々のゾーンを示す図である。
【符号の説明】
１０  レコーダ
１４  マイクロプロセサ
１６  永久メモリー
１８  ランダムアクセスメモリー
２２１，２２２  トラック
２４  インターフェース
２５１，２５２  セクタ
２６  外側ゾーン
２８  中間ゾーン
３０  内側ゾーン
【国際公開パンフレット】
2004517436.tif 000003
2004517436.tif 000004
2004517436.tif 000005
2004517436.tif 000006
2004517436.tif 000007
2004517436.tif 000008
2004517436.tif 000009
2004517436.tif 000010
2004517436.tif 000011
2004517436.tif 000012
2004517436.tif 000013
2004517436.tif 000014
【国際調査報告】
2004517436.tif 000015
2004517436.tif 000016
2004517436.tif 000017